(57)【要約】【課題】表示品質が向上した表示装置が提供するものである。【解決手段】表示装置は、光を提供するＬＥＤ光源と、光の提供を受けて映像を表示する表示パネルと、ＬＥＤ光源に流れるＬＥＤ電流のデューティ比と大きさとを調節するバックライトドライバとを含み、ＬＥＤ電流の波形は、オフ電流値からピーク値までＬＥＤ電流の大きさが増加するライジング区間、またはピーク値からオフ電流値までＬＥＤ電流の大きさが減少するフォーリング区間のうち少なくとも一つを含む。【選択図】図６
2010033056.tif 000002
【特許請求の範囲】
【請求項１】
光を提供するＬＥＤ光源と、
前記光の提供を受けて映像を表示する表示パネルと、
前記ＬＥＤ光源に流れるＬＥＤ電流のデューティ比と大きさとを調節するバックライトドライバと、
を含み、
前記ＬＥＤ電流の波形は、オフ電流値からピーク値まで前記ＬＥＤ電流の大きさが増加するライジング区間、または前記ピーク値から前記オフ電流値まで記ＬＥＤ電流の大きさが減少するフォーリング区間のうち少なくとも一つを含むことを特徴とする表示装置。
【請求項２】
前記ＬＥＤ電流の波形は、オフ区間とオン区間とが交互に繰り返して配置され、
前記オフ区間は、前記オフ電流値を有し、前記オン区間は、前記ライジング区間と前記フォーリング区間のうち少なくとも一つを含むことを特徴とする請求項１に記載の表示装置。
【請求項３】
前記ライジング区間の間、前記ＬＥＤ電流の大きさが段階的に増加することを特徴とする請求項１に記載の表示装置。
【請求項４】
前記フォーリング区間の間、前記ＬＥＤ電流の大きさが段階的に減少することを特徴とする請求項１に記載の表示装置。
【請求項５】
前記ＬＥＤ電流の大きさが減少する減少率が徐々に小さくなることを特徴とする請求項４に記載の表示装置。
【請求項６】
前記表示パネルに表示される映像に対応する光データ信号を提供する信号制御部をさらに含み、
前記ＬＥＤ電流のデューティ比は、前記光データ信号のデューティ比によって決定され、
前記バックライトドライバは、前記ＬＥＤ電流の波形がＣＣＦＬ電流波形と類似するように前記ＬＥＤ電流の大きさを調節することを特徴とする請求項１に記載の表示装置。
【請求項７】
前記表示パネルに表示される映像に対応する光データ信号を提供する信号制御部をさらに含み、
前記ＬＥＤ電流の波形は、前記光データ信号がオンレベルである区間において前記ライジング区間を含み、前記光データ信号がオフレベルである区間において前記フォーリング区間を含み、
前記ライジング区間および前記フォーリング区間において、前記ＬＥＤ電流の大きさが段階的に増加または減少することを特徴とする請求項１に記載の表示装置。
【請求項８】
前記ＬＥＤ電流の波形は、前記ライジング区間と前記フォーリング区間とが所定のデューティ比を有して交互に繰り返して配置される波形であり、
前記ピーク値は、前記表示パネルに表示される映像の階調に応じて加重値が付与された値であることを特徴とする請求項１に記載の表示装置。
【請求項９】
前記表示パネルは、多数の画素と前記画素の各々をオンさせる複数のａ−Ｓｉ薄膜トランジスタとを含み、
前記ＬＥＤ光源がオンして照射される光が、前記ａ−Ｓｉ薄膜トランジスタの各々のアクティブ層に入射することを特徴とする請求項１に記載の表示装置。
【請求項１０】
前記ＬＥＤ電流のデューティ比は、前記表示パネルに表示される映像に応じて調節されることを特徴とする請求項１に記載の表示装置。
【発明の詳細な説明】
【技術分野】
【０００１】
本発明は、表示装置に関するものであって、より詳細には表示品質が向上した表示装置に関するものである。
【背景技術】
【０００２】
液晶表示装置は、画素電極を備える第１表示板、共通電極を備える第２表示板、及び第１表示板と第２表示板との間に注入された誘電率異方性（ｄｉｅｌｅｃｔｒｉｃ  ａｎｉｓｏｔｒｏｐｙ）を有する液晶層を備える液晶パネルを含む。画素電極と共通電極との間に電界が形成され、この電界の強度を調節することによって液晶パネルを透過する光の量を制御して所望する画像を表示する。液晶表示装置は、自身が発光型表示装置ではないため、液晶パネルにバックライトを提供する別途の光源を必要とする。
【０００３】
近年、光源としてＬＥＤ光源を使用し、液晶パネルが表示する映像に対応してＬＥＤ電流（Ｉ＿ＬＥＤ）のデューティ比を調節する駆動方法が開発されている。しかし、このような駆動方法では、ウォーターフォール（ｗａｔｅｒｆａｌｌ）ノイズが視認される。ウォーターフォールノイズは、液晶パネルのピクセルに同一の電荷量を充電しても、ＬＥＤ光源をつけるときの充電されたピクセルの電圧と、ＬＥＤ光源を消すときの充電されたピクセルの電圧との差によって発生するものと知られている。
【０００４】
このようなウォーターフォールノイズを減らして表示品質を向上させることができる液晶表示装置が要求されている。
【先行技術文献】
【特許文献】
【０００５】
【特許文献１】大韓民国特許公開第２００６−００４００５９号公報
【発明の概要】
【発明が解決しようとする課題】
【０００６】
本発明が解決しようとする課題は、表示品質が向上した表示装置を提供するもことである。
【０００７】
本発明が解決しようとする課題は、以上で言及した課題に制限されず、言及されていないまた他の課題は以下の記載から当業者に明確に理解できるであろう。
【課題を解決するための手段】
【０００８】
前記課題を解決するための本発明の表示装置の一実施形態は、光を提供するＬＥＤ光源と、光の提供を受けて映像を表示する表示パネルと、ＬＥＤ光源に流れるＬＥＤ電流のデューティ比と大きさとを調節するバックライトドライバと、を含み、ＬＥＤ電流の波形は、オフ電流値からピーク値まで大きさが増加するライジング区間（ｒｉｓｉｎｇ  ｓｅｃｔｉｏｎ）及びピーク値からオフ電流値まで大きさが減少するフォーリング区間（ｆａｌｌｉｎｇ  ｓｅｃｔｉｏｎ）のうちの少なくとも一つを含む。
【０００９】
本発明のその他具体的な内容は詳細な説明および図に含まれている。
【図面の簡単な説明】
【００１０】
【図１】本発明のいくつかの実施形態による表示装置を説明するためのブロック図である。
【図２】図１に示す表示パネルに含まれる一画素の等価回路図である。
【図３】図１に示す映像信号制御部を説明するためのブロック図である。
【図４】本発明の第１実施形態による図１に示す発光ブロックとバックライトドライバとを説明するためのブロック図である。
【図５】図４の回路図である。
【図６】図５に示す信号を説明するためのタイミング図である。
【図７】本発明の第２実施形態による発光ブロックとバックライトドライバとを説明するためのブロック図である。
【図８】図７に示す信号を説明するためのタイミング図である。
【図９】図８に示すＩ＿ＬＥＤ’とＩ＿ＬＥＤとの関係を説明するための図である。
【図１０】本発明の第３実施形態によるＬＥＤ電流を説明するための図である。
【図１１】本発明の第４実施形態による発光ブロックとバックライトドライバとを説明するためのブロック図である。
【図１２】図１１の回路図である。
【図１３】図１２に示す信号を説明するためのタイミング図である。
【図１４】本発明の第５実施形態による発光ブロックとバックライトドライバとを説明するためのブロック図である。
【図１５Ａ】図１４の回路図である。
【図１５Ｂ】図１５Ａに示す比較器の出力と可変抵抗器の抵抗値とＬＥＤ電流の大きさとの関係を説明する表である。
【図１６】図１５Ａに示す基準電圧生成部の回路図である。
【図１７Ａ】第１モードでの基準電圧生成部の動作を説明するための回路図である。
【図１７Ｂ】第２モードでの基準電圧生成部の動作を説明するための回路図である。
【図１８】本発明の第５実施形態における図１５Ａに示す信号を説明するためのタイミング図である。
【図１９】本発明の第６実施形態における図１５Ａに示す信号を説明するためのタイミング図である。
【図２０】本発明の第７実施形態における図１５Ａに示す信号を説明するためのタイミング図である。
【発明を実施するための形態】
【００１１】
本発明の利点、特徴、およびそれらを達成する方法は、図面と共に詳細に後述される実施形態を参照すれば明確になるであろう。しかし、本発明は、以下で開示される実施形態に限定されるものではなく、互いに異なる多様な形態で実現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。なお、明細書全体にかけて、同一の参照符号は同一の構成要素を指すものとする。
【００１２】
一つの素子（ｅｌｅｍｅｎｔ）が、他の素子と「接続された（ｃｏｎｎｅｃｔｅｄ  ｔｏ）」または「カップリングされた（ｃｏｕｐｌｅｄ  ｔｏ）」と言及されるときは、他の素子と直接接続またはカップリングされた場合、あるいは中間に他の素子を介在させた場合のすべてを含む。これに対し、一つの素子が異なる素子と「直接接続された（ｄｉｒｅｃｔｌｙ  ｃｏｎｎｅｃｔｅｄ  ｔｏ）」または「直接カップリングされた（ｄｉｒｅｃｔｌｙ  ｃｏｕｐｌｅｄ  ｔｏ）」と言及されるときは、間に他の素子を介在していないことを表わす。明細書全体にかけて、同一の参照符号は、同一の構成要素を参照する。「および／または」は、言及されたアイテムの各々および一つ以上のすべての組合せを含む。
【００１３】
第１、第２等が、多様な素子、構成要素および／またはセクションを説明するために使用される。しかしながら、これら素子、構成要素および／またはセクションは、これらの用語によって制限されない。これらの用語は単に一つの素子、構成要素、またはセクションを他の素子、構成要素、またはセクションと区別するために使用されるものである。したがって、以下で言及される第１素子、第１構成要素、または第１セクションは、本発明の技術的思想内で第２素子、第２構成要素、または第２セクションであり得る。
【００１４】
本明細書で使用された用語は、実施形態を説明するためであり、本発明を制限しようとするものではない。本明細書において単数形は、文言で特別に言及しない限り、複数形をも含む。明細書で使用される「含む」は、言及した構成要素、段階、動作、および／または素子は、一つ以上の他の構成要素、段階、動作、および／または素子の存在または追加を排除しない。
【００１５】
図１〜図６を参照して本発明の第１実施形態による表示装置を説明する。
【００１６】
図１は、本発明のいくつかの実施形態による表示装置を説明するためのブロック図である。図２は、図１に示す表示パネルに含まれる一画素の等価回路図である。図３は、図１に示す映像信号制御部を説明するためのブロック図である。
【００１７】
図１を参照すると、表示装置１０は、表示パネル３００、信号制御部６００、階調電圧生成部５５０、ゲートドライバ４００、データドライバ５００、バックライトドライバ８００およびバックライトドライバ８００に接続した発光ブロック（ＬＢ）を含む。
【００１８】
表示パネル３００は、多数のゲートライン（Ｇ１〜Ｇｋ）と多数のデータライン（Ｄ１〜Ｄｊ）と多数の画素（ＰＸ）とを含む。図示していないが、多数の画素（ＰＸ）は、赤副画素、緑副画素、および青副画素に区分されてもよい。各ゲートラインと各データラインとが交差する領域に各画素（ＰＸ）が定義される。表示パネル３００は、後述する映像データ電圧に応答して映像を表示する。
【００１９】
図２は、一画素に対する等価回路を示している。画素（ＰＸ）、例えば、ｆ番目（ｆ＝１〜ｋ）のゲートライン（Ｇｆ）とｇ番目（ｇ＝１〜ｊ）のデータライン（Ｄｇ）とに接続された画素（ＰＸ）は、ゲートライン（Ｇｆ）およびデータライン（Ｄｇ）に接続されたスイッチング素子（Ｑｐ）と、これに接続された液晶キャパシタ（Ｃｌｃ）およびストレージキャパシタ（Ｃｓｔ）とを含む。液晶キャパシタ（Ｃｌｃ）は、二つの電極、例えば、図示するように第１表示板１００の画素電極（ＰＥ）と、第２表示板２００の共通電極（ＣＥ）と、前記二つの電極との間に介在する液晶分子１５０とで構成することができる。共通電極（ＣＥ）の一部にはカラーフィルタ（ＣＦ）が形成される。
【００２０】
スイッチング素子（Ｑｐ）は、各画素（ＰＸ）をオンまたはオフさせる。スイッチング素子（Ｑｐ）は、特に、アクティブ層がアモルファスシリコン（ａ−Ｓｉ）から成るａ−Ｓｉ薄膜トランジスタであってもよい。そして、ＬＥＤ光源がオンされて照射する光が、各ａ−Ｓｉ薄膜トランジスタのアクティブ層に入射される。このようにアクティブ層にＬＥＤ光源がオンされて照射される光が入射すると、アクティブ層と画素電極（ＰＥ）との間に寄生容量が発生する。したがって、液晶パネルのピクセル（ＰＸ）に同一の電荷量を充電しても、ＬＥＤ光源が点灯するときの充電されたピクセル（ＰＸ）の電圧は、ＬＥＤ光源が消えたときの充電されたピクセル（ＰＸ）の電圧より小さくなる。その結果、ウォーターフォール（ｗａｔｅｒｆａｌｌ）ノイズが視認されて、表示装置１０の表示品質が落ちる。
【００２１】
再び図１を参照すると、信号制御部６００は、第１映像信号（Ｒ、Ｇ、Ｂ）および第１映像信号（Ｒ、Ｇ、Ｂ）の表示を制御する外部制御信号（Ｖｓｙｎｃ、Ｈｓｙｎｃ、Ｍｃｌｋ、ＤＥ）を受信して、第２映像信号（ＩＤＡＴ）、データ制御信号（ＣＯＮＴ１）、ゲート制御信号（ＣＯＮＴ２）および光データ信号（ＬＤＡＴ）を出力してもよい。
【００２２】
具体的に、信号制御部６００は、第１映像信号（Ｒ、Ｇ、Ｂ）を第２映像信号（ＩＤＡＴ）に変換して出力する。信号制御部６００はまた、表示パネル３００で表示される映像に対応する光データ信号（ＬＤＡＴ）をバックライトドライバ８００に提供してもよい。信号制御部６００は、表示パネル３００で表示される映像に対応してデューティ比を調節した光データ信号（ＬＤＡＴ）を提供てもよい。
【００２３】
信号制御部６００は、その機能によって映像信号制御部６００＿１と光データ信号制御部６００＿２とに区分されてもよい。映像信号制御部６００＿１は、表示パネル３００に表示される映像を制御し、光データ信号制御部６００＿２は、バックライトドライバ８００を制御してもよい。また、映像信号制御部６００＿１と光データ信号制御部６００＿２とは物理的に分離されてもよい。
【００２４】
映像信号制御部６００＿１は、第１映像信号（Ｒ、Ｇ、Ｂ）の入力を受けて、これに対応する第２映像信号（ＩＤＡＴ）を出力してもよい。映像信号制御部６００＿１は、また、外部から外部制御信号（Ｖｓｙｎｃ、Ｈｓｙｎｃ、Ｍｃｌｋ、ＤＥ）を受信して、データ制御信号（ＣＯＮＴ１）およびゲート制御信号（ＣＯＮＴ２）を生成してもよい。外部制御信号の例としては、垂直同期信号（Ｖｓｙｎｃ）及び水平同期信号（Ｈｓｙｎｃ）、メインクロック信号（Ｍｃｌｋ）、データイネーブル信号（ＤＥ）などがある。データ制御信号（ＣＯＮＴ１）は、データドライバ５００の動作を制御するための信号であり、ゲート制御信号（ＣＯＮＴ２）は、ゲートドライバ４００の動作を制御するための信号である。
【００２５】
映像信号制御部６００＿１は、また、第１映像信号（Ｒ、Ｇ、Ｂ）を受信して、これに対応する代表映像信号（ｒｅｐｒｅｓｅｎｔａｔｉｖｅ  ｉｍａｇｅ  ｓｉｇｎａｌ）（Ｒ＿ＤＢ）を光データ信号制御部６００＿２に提供してもよい。
【００２６】
図３を参照すると、映像信号制御部６００＿１は、制御信号生成部６１０と映像信号処理部６２０と代表値決定部６３０とを含んでもよい。
【００２７】
制御信号生成部６１０は、外部制御信号（Ｖｓｙｎｃ、Ｈｓｙｎｃ、Ｍｃｌｋ、ＤＥ）を受信して、データ制御信号（ＣＯＮＴ１）およびゲート制御信号（ＣＯＮＴ２）を出力する。例えば、制御信号生成部６１０は、ゲートドライバ４００の動作を開始する垂直開始信号（ＳＴＶ）、ゲートオン電圧の出力時期を決定するゲートクロック信号（ＣＰＶ）、ゲートオン電圧のパルス幅を決定する出力イネーブル信号（ＯＥ）、データドライバ５００の動作を開始する水平開始信号（ＳＴＨ）、および映像データ電圧の出力を指示する出力指示信号（ＴＰ）を出力してもよい。
【００２８】
映像信号処理部６２０は、第１映像信号（Ｒ、Ｇ、Ｂ）を第２映像信号（ＩＤＡＴ）に変換して出力してもよい。第２映像信号（ＩＤＡＴ）は、表示品質を向上させるために第１映像信号（Ｒ、Ｇ、Ｂ）を変換した信号であってもよい。第２映像信号（ＩＤＡＴ）は、例えば、オーバードライビング（ｏｖｅｒｄｒｉｖｉｎｇ）駆動のために第１映像信号（Ｒ、Ｇ、Ｂ）を変換した信号であってもよい。オーバードライビング駆動について詳細な説明は省略する。
【００２９】
代表値決定部６３０は、液晶パネル３００に表示される映像の代表映像信号（Ｒ＿ＤＢ）を決定する。例えば、代表値決定部６３０は、第１映像信号（Ｒ、Ｇ、Ｂ）を受信し、これらを平均して代表映像信号（Ｒ＿ＤＢ）を決定してもよい。したがって、代表映像信号（Ｒ＿ＤＢ）は、液晶パネル３００に表示される映像の平均輝度を意味してもよい。
【００３０】
再び図１を参照すると、光データ信号制御部６００＿２は、代表映像信号（Ｒ＿ＤＢ）を受信して、光データ信号（ＬＤＡＴ）をバックライトドライバ８００に提供してもよい。光データ信号制御部６００＿２は、表示パネル３００に表示される映像に対応するように光データ信号（ＬＤＡＴ）のデューティ比を調節した光データ信号（ＬＤＡＴ）を提供してもよい。具体的に、光データ信号制御部６００＿２は、先ず、代表映像信号（Ｒ＿ＤＢ）に対応するバックライトの原始輝度を決定してもよい。例えば、ルックアップテーブル（図示せず）を利用して代表映像信号（Ｒ＿ＤＢ）に対応するバックライトの原始輝度を決定してもよい。光データ信号制御部６００＿２は、このように決定されたバックライトの原始輝度に対応するデューティ比を有する光データ信号（ＬＤＡＴ）を出力してもよい。
【００３１】
階調電圧生成部５５０は、第２映像信号（ＩＤＡＴ）に対応する映像データ電圧をデータドライバ５００に提供してもよい。階調電圧生成部５５０は、第２映像信号（ＩＤＡＴ）が有する階調に応じて駆動電圧（ＡＶＤＤ）を配分して、データドライバ５００に提供してもよい。また、階調電圧生成部５５０は、図示していないが、駆動電圧（ＡＶＤＤ）が印加されるノードとグラウンドとの間に直列に接続された複数の抵抗を含み、駆動電圧（ＡＶＤＤ）の電圧レベルを配分することができる。階調電圧生成部５５０の内部回路はこれに限定されず、多様に実現することができる。
【００３２】
ゲートドライバ４００は、映像信号制御部６００＿１からゲート制御信号（ＣＯＮＴ２）の提供を受けて、ゲート信号をゲートライン（Ｇ１〜Ｇｋ）に印加する。ここで、ゲート信号はゲートオン／オフ電圧生成部（図示せず）から提供されたゲートオン電圧（Ｖｏｎ）とゲートオフ電圧（Ｖｏｆｆ）との組み合わせから成る。ゲート制御信号（ＣＯＮＴ２）は、ゲートドライバ４００の動作を制御するための信号であって、ゲートドライバ４００の動作を開始する垂直開始信号、ゲートオン電圧の出力時期を決定するゲートクロック信号、およびゲートオン電圧のパルス幅を決定する出力イネーブル信号などを含んでもよい。
【００３３】
データドライバ５００は、映像信号制御部６００＿１からデータ制御信号（ＣＯＮＴ１）の提供を受けて、映像データ電圧をデータライン（Ｄ１〜Ｄｊ）に印加する。映像データ電圧は、階調電圧生成部５５０から提供された電圧であってもよい。すなわち、第２映像信号（ＩＤＡＴ）が有する階調に応じて駆動電圧（ＡＶＤＤ）が配分された電圧であってもよい。データ制御信号（ＣＯＮＴ１）は、データドライバ５００の動作を制御する信号を含む。データドライバ５００の動作を制御する信号は、データドライバ５００の動作を開始する水平開始信号および映像データ電圧の出力を指示する出力指示信号などを含んでもよい。
【００３４】
バックライトドライバ８００は、光データ信号（ＬＤＡＴ）に応答して発光ブロック（ＬＢ）から提供される光の輝度を調節してもよい。バックライトドライバ８００は、信号制御部６００から光データ信号（ＬＤＡＴ）の提供を受けて、ＬＥＤ光源に流れるＬＥＤ電流（Ｉ＿ＬＥＤ）のデューティ比と大きさとを調節してＬＥＤ光源から照射される光の輝度を調節することができる。また、バックライトドライバ８００は、光データ信号（ＬＤＡＴ）のデューティ比に対応するようにデューティ比を調節したＬＥＤ電流（Ｉ＿ＬＥＤ）を提供してもよい。しかし、前述したように、光データ信号（ＬＤＡＴ）は、表示パネル３００に表示される映像に対応するデューティ比を有する。したがって、バックライトドライバ８００は、表示パネル３００に表示される映像に対応するようＬＥＤ電流（Ｉ＿ＬＥＤ）のデューティ比を調節することができる。バックライトドライバ８００の内部構造及び機能については、各実施形態を説明するときに後述する。
【００３５】
発光ブロック（ＬＢ）は、少なくとも一つ以上のＬＥＤ光源を含み、表示パネル３００に光を提供する。発光ブロック（ＬＢ）の輝度は、発光ブロック（ＬＢ）に接続されたバックライトドライバ８００によって制御することができる。
【００３６】
ＬＥＤ光源に流れるＬＥＤ電流（Ｉ＿ＬＥＤ）の波形は、ライジング区間とフォーリング区間とのうち少なくとも一つを含んでもよい。ライジング区間は、オフ電流値からピーク値までのＬＥＤ電流（Ｉ＿ＬＥＤ）の大きさが単調増加する区間であり、フォーリング区間は、ピーク値からオフ電流値までのＬＥＤ電流（Ｉ＿ＬＥＤ）の大きさが単調減少する区間である。ＬＥＤ電流（Ｉ＿ＬＥＤ）はまた、オフ区間とオン区間とが交互に繰り返して配置される波形を有してもよい。オフ区間においては、ＬＥＤ電流（Ｉ＿ＬＥＤ）は、オフ電流値を有し、オン区間はライジング区間とフォーリング区間とのうち少なくとも一つを含んでもよい。ＬＥＤ電流（Ｉ＿ＬＥＤ）の波形については、各実施形態を説明するときに詳細に説明する。
【００３７】
図４は、本発明の第１実施形態による図１に示す発光ブロックとバックライトドライバとを説明するためのブロック図である。図５は、図４の回路図である。図６は、図５の信号を説明するためのタイミング図である。
【００３８】
図４を参照すると、バックライトドライバ８００は、ブースト電圧（Ｖｂｓｔ）をＬＥＤ光源に提供するブースト部８１０と、ＬＥＤ光源に流れるＬＥＤ電流（Ｉ＿ＬＥＤ）の大きさを調節する電流値調節部８２０と、を含んでもよい。
【００３９】
図４に示すように、ＬＥＤ光源は、ＬＥＤ光源モジュール３３０に実装されてもよく、ブースト部８１０及び電流値調節部８２０は、コンバーターボード８３０に実装されてもよい。ＬＥＤ光源モジュール３３０は、表示パネル３００の背面に配置されてもよく、コンバーターボード８３０は、ＬＥＤ光源モジュール３３０に接続されてもよい。ブースト部８１０は、ＬＥＤ光源モジュール３３０のブースト電圧端子（Ｐｂｓｔ）を通じてブースト電圧（Ｖｂｓｔ）をＬＥＤ光源に提供してもよく、電流値調節部８２０は、ＬＥＤ電流端子（Ｐｉ）を介して発光ブロック（ＬＢ）を流れるＬＥＤ電流（Ｉ＿ＬＥＤ）の大きさを調節してもよい。
【００４０】
ブースト電圧（Ｖｂｓｔ）は、ＬＥＤ光源の一端に印加されて、電流値調節部８２０は、ドレイン／ソース端子がＬＥＤ光源の他端に接続された薄膜トランジスタ（図５のＱ＿ｃｔｒＩを参照）を含んでもよい。この薄膜トランジスタは、制御電圧（図５のＶ＿ｃｔｒＲを参照）に応答して、ＬＥＤ電流（Ｉ＿ＬＥＤ）の大きさを調節してもよい。
【００４１】
図５および図６を参照すると、ブースト部８１０は、デューティ比が調節されて提供される光データ信号（ＬＤＡＴ）に応答して、ブースト電圧（Ｖｂｓｔ）を提供してもよい。ブースト部８１０は、例えば、図５に示すようなブーストコンバータであってもよい。ブーストコンバータは、インダクタ（Ｌ＿ｂｓｔ）、ダイオード（Ｄ＿ｂｓｔ））、キャパシタ（Ｃ＿ｂｓｔ）、およびスイッチング素子（Ｑ＿ｂｓｔ）を含む。ブーストコンバータは、光データ信号（ＬＤＡＴ）を受信して入力電圧（Ｖｉｎ）を昇圧（ブースト）し、発光ダイオード（ＬＥＤ）の動作に必要なブースト電圧（Ｖｂｓｔ）を提供してもよい。
【００４２】
ブースト部８１０の動作を説明すると、光データ信号（ＬＤＡＴ）がハイレベル（図６のｏｎレベル）である場合、スイッチング素子（Ｑ＿ｂｓｔ）がオンし、インダクタ（Ｌ＿ｂｓｔ）の電流、電圧特性に応じてインダクタ（Ｌ＿ｂｓｔ）に印加される入力電圧（Ｖｉｎ）に比例してインダクタ（Ｌ＿ｂｓｔ）に流れる電流が徐々に増加する。光データ信号（ＬＤＡＴ）がローレベル（図６のｏｆｆレベル）であれば、スイッチング素子（Ｑ＿ｂｓｔ）がオフし、インダクタ（Ｌ＿ｂｓｔ）に流れる電流はダイオード（Ｄ＿ｂｓｔ）を通じてキャパシタ（Ｃ＿ｂｓｔ）に流れて、キャパシタ（Ｃ＿ｂｓｔ）の電流、電圧の特性に応じてキャパシタ（Ｃ＿ｂｓｔ）に充電される。したがって、入力電圧（Ｖｉｎ）が一定の電圧に昇圧される。ここで、光データ信号（ＬＤＡＴ）のデューティ比に応じてインダクタ（Ｌ＿ｂｓｔ）に流れる電流の量が変わり、これによってブースト電圧（Ｖｂｓｔ）の電圧レベルが変わる。
【００４３】
電流値調節部８２０は、ＬＥＤ電流（Ｉ＿ＬＥＤ）の大きさを調節する電流調節トランジスタ（Ｑ＿ｃｔｒＩ）を含んでもよい。電流調節トランジスタ（Ｑ＿ｃｔｒＩ）において、ゲート端子に印加される制御電圧、すなわち、電圧（Ｖ＿ｃｔｒＲ）に応じてドレインとソースとの間に流れる電流の大きさが変わってもよい。つまり、電流調節トランジスタ（Ｑ＿ｃｔｒＩ）は、ゲート端子に印加される電圧（Ｖ＿ｃｔｒＲ）によって制御される可変抵抗（ＶＲ）として機能してもよい。また、可変抵抗（ＶＲ）の抵抗値の変化に応じて、ＬＥＤ電流（Ｉ＿ＬＥＤ）の大きさは調節されてもよい。
【００４４】
制御電圧であるゲート端子に印加される電圧（Ｖ＿ｃｔｒＲ）は、図６に示すような波形で印加されてもよい。ゲート端子に印加される電圧（Ｖ＿ｃｔｒＲ）は、ライジング区間およびフォーリング区間を含んでもよい。ライジング区間でゲート端子に印加される電圧（Ｖ＿ｃｔｒＲ）のサイズが段階的に増加して、フォーリング区間で再び段階的に減少する。そして、ＬＥＤ電流（Ｉ＿ＬＥＤ）の波形もゲート端子に印加される電圧（Ｖ＿ｃｔｒＲ）に対応して、図６に示すように段階的に増加してまた再び段階的に減少してもよい。
【００４５】
具体的には、ライジング区間において、ＬＥＤ電流（Ｉ＿ＬＥＤ）の大きさは段階的に増加してもよく、このとき、ＬＥＤ電流（Ｉ＿ＬＥＤ）の大きさが増加するにつれてＬＥＤ電流（Ｉ＿ＬＥＤ）の大きさが段階的に増加する増加幅（増加率）が徐々に小さくなってもよい。また、フォーリング区間において、ＬＥＤ電流（Ｉ＿ＬＥＤ）の大きさは段階的に減少してもよく、このとき、ＬＥＤ電流（Ｉ＿ＬＥＤ）の大きさが減少するにつれてＬＥＤ電流（Ｉ＿ＬＥＤ）の大きさが段階的に減少する減少幅（減少率）が徐々に小さくなってもよい。このように、バックライトドライバ８００は、ＬＥＤ電流（Ｉ＿ＬＥＤ）の波形がＣＣＦＬ電流波形と類似するように、ＬＥＤ電流（Ｉ＿ＬＥＤ）の大きさを調節して出力してもよい。
【００４６】
またＬＥＤ電流（Ｉ＿ＬＥＤ）のデューティ比は、光データ信号（ＬＤＡＴ）のデューティ比によって決定されてもよい。すなわち、バックライトドライバ８００は、光データ信号（ＬＤＡＴ）のデューティ比とほぼ同じデューティ比を有するＬＥＤ電流（Ｉ＿ＬＥＤ）を出力してもよい。
【００４７】
一方、図６においてＩ＿ＬＥＤ’は、電流値調節部８２０がＬＥＤ電流（Ｉ＿ＬＥＤ）の大きさを調節しない場合に出力されるＬＥＤ電流（Ｉ＿ＬＥＤ）の波形である。Ｉ＿ＬＥＤ’は、図示されているように、四角形状を有してもよい。Ｉ＿ＬＥＤ’は、ライジングエッジとフォーリングエッジとを含みオフレベルとオンレベルとの間で大きさの変化が急激に起きる。しかし、図２を参照して前述したように、ＬＥＤ光源がオンすると、照射される光が各ａ−Ｓｉ薄膜トランジスタのアクティブ層に入射する。ＬＥＤ光源がオンして、照射される光がアクティブ層に入射すると、アクティブ層と画素電極（ＰＥ）との間に寄生容量が発生する。
【００４８】
したがって、Ｉ＿ＬＥＤ’のようにオフレベルとオンレベルとの間でＬＥＤ電流（Ｉ＿ＬＥＤ）の大きさが急激に変化すると、ＬＥＤ光源が照射する光の輝度もオフレベルとオンレベルとの間で急激に変化し、その結果、寄生容量の大きさも急激に変わり、前述したウォーターフォール（ｗａｔｅｒｆａｌｌ）ノイズが激しくなることもある。
【００４９】
これに対して、ＬＥＤ電流（Ｉ＿ＬＥＤ）の波形は、ライジング区間およびフォーリング区間を含む。ライジング区間でＬＥＤ電流（Ｉ＿ＬＥＤ）の大きさは、オフ電流値からピーク値まで徐々に増加し、フォーリング区間でピーク値からオフ電流値まで徐々に減少する。したがって、寄生容量の大きさも徐々に変わり、ウォーターフォールノイズが視認されることを減らし、その結果、表示装置１０の表示品質を向上させることができる。
【００５０】
また、ＬＥＤ光源にある四角形状の波形を有する電流を流す場合、バックライトドライバ８００は、前記四角形状の波形を有する電流Ｉ＿ＬＥＤ’の電流量と実質的に同一になるようにＬＥＤ電流（Ｉ＿ＬＥＤ）の大きさを調節してもよい。図６を参照すると、オン区間は光データ信号がハイレベルである区間と一致するが、Ｉ＿ＬＥＤ’のピーク値よりＬＥＤ電流（Ｉ＿ＬＥＤ）のピーク値（Ｉｐｅａｋ）のほうがより大きい。したがって、Ｉ＿ＬＥＤ’の電流量に相当する面積Ａ’とＬＥＤ電流（Ｉ＿ＬＥＤ）の電流量に相当する面積Ａを実質的に同一にすることができる。このように、ＬＥＤ電流（Ｉ＿ＬＥＤ）波形を変形しても、電流量を実質的に同一に維持することができる。
【００５１】
以上、図６を参照してＬＥＤ電流（Ｉ＿ＬＥＤ）の波形がライジング区間およびフォーリング区間を含む場合を説明したが、ＬＥＤ電流（Ｉ＿ＬＥＤ）の波形は、ライジング区間またはフォーリング区間のうち少なくとも一つを含んでもよい。すなわち、ＬＥＤ電流（Ｉ＿ＬＥＤ）の波形はライジング区間のみを有してもよく、フォーリング区間のみを有してもよい。
【００５２】
図７〜図９を参照して本発明の第２実施形態による表示装置を説明する。本発明の第１実施形態と実質的に同一の構成要素に対しては同一の参照符号を使い、説明の便宜上、第１実施形態と実質的に重複する説明は省略する。
【００５３】
図７は、本発明の第２実施形態が含む発光ブロックとバックライトドライバとを説明するためのブロック図である。図８は、図７に示す信号を説明するためのタイミング図である。図９は、図８に示すＩ＿ＬＥＤ’とＩ＿ＬＥＤとの関係を説明するための図である。
【００５４】
図７を参照すると、バックライトドライバ８０２は、光データ信号（ＬＤＡＴ）のデューティ比を変調して出力するデューティ比変調部８４０と、ブースト電圧（Ｖｂｓｔ）をＬＥＤ光源に提供するブースト部８１２と、ＬＥＤ光源に流れるＬＥＤ電流（Ｉ＿ＬＥＤ）の大きさを調節する電流値調節部８２０と、を含んでもよい。図７に示すようにＬＥＤ光源は、ＬＥＤ光源モジュール３３０に実装されてもよく、デューティ比変調部８４０とブースト部８１２と電流値調節部８２０とは、コンバーターボード８３２に実装されてもよい。
【００５５】
デューティ比変調部８４０は、光データ信号（ＬＤＡＴ）のデューティ比を変調してデューティ比が変調された光データ信号（ＬＤＡＴ’）を出力してもよい。デューティ比変調部８４０は、図８に示すように、光データ信号（ＬＤＡＴ）のデューティ比より大きなデューティ比を有する光データ信号（ＬＤＡＴ’）を出力してもよい。
【００５６】
電流値調整部８２０の電流調節トランジスタ（Ｑ＿ｃｔｒＩ）のゲート端子（図５参照）に印加される制御電圧である電圧（Ｖ＿ｃｔｒＲ）は、図８に示すような波形で印加されてもよい。ゲート端子に印加される電圧（Ｖ＿ｃｔｒＲ）は、ライジング区間およびフォーリング区間を含んでもよい。ライジング区間でゲート端子に印加される電圧（Ｖ＿ｃｔｒＲ）の大きさは段階的に増加して、フォーリング区間で再び段階的に減少してもよい。また、ＬＥＤ電流（Ｉ＿ＬＥＤ）の波形もゲート端子に印加される電圧（Ｖ＿ｃｔｒＲ）に対応して、図８に示すように段階的に増加して再び段階的に減少する。
【００５７】
図８を参照すると、ＬＥＤ電流（Ｉ＿ＬＥＤ）の波形は、光データ信号（ＬＤＡＴ）がオンレベルである区間でライジング区間を含み、光データ信号（ＬＤＡＴ）がオフレベルである区間でフォーリング区間を含んでもよい。具体的に、光データ信号（ＬＤＡＴ）がオンレベルである区間において、ＬＥＤ電流（Ｉ＿ＬＥＤ）の大きさは段階的に増加してもよい。このとき、ＬＥＤ電流（Ｉ＿ＬＥＤ）の大きさが増加するにつれて、ＬＥＤ電流（Ｉ＿ＬＥＤ）の大きさが段階的に増加する増加幅（増加率）が徐々に小さくなってもよい。また、光データ信号（ＬＤＡＴ）がオフレベルの区間において、ＬＥＤ電流（Ｉ＿ＬＥＤ）の大きさが段階的に減少してもよい、このとき、ＬＥＤ電流（Ｉ＿ＬＥＤ）の大きさが減少するにつれて、ＬＥＤ電流（Ｉ＿ＬＥＤ）の大きさが段階的に減少する減少幅（減少率）が徐々に小さくなってもよい。このように、バックライトドライバ８００は、ＬＥＤ電流（Ｉ＿ＬＥＤ）の波形がＣＣＦＬ電流波形と類似するように、ＬＥＤ電流（Ｉ＿ＬＥＤ）の大きさを調節して出力してもよい。
【００５８】
一方、ＬＥＤ電流（Ｉ＿ＬＥＤ）のデューティ比は、第１実施形態とは異なり、デューティ比が変調された光データ信号（ＬＤＡＴ’）のデューティ比によって決定されてもよい。すなわち、バックライトドライバ８０２は、デューティ比が変調された光データ信号（ＬＤＡＴ’）のデューティ比と同じデューティ比を有するＬＥＤ電流（Ｉ＿ＬＥＤ）を出力してもよい。
【００５９】
本発明の第２実施形態による表示装置によると、第１実施形態と同様に、ＬＥＤ電流（Ｉ＿ＬＥＤ）の波形は、ライジング区間およびフォーリング区間を含むため、ＬＥＤ光源がオンし、オフするとき、寄生容量の大きさが徐々に変わり、ウォーターフォールノイズが視認されることを減らし、その結果、表示装置１０の表示品質を向上させることができる。
【００６０】
また、ＬＥＤ光源にある四角形状の波形を有する電流を流す場合、バックライトドライバ８０２は、四角形状の波形を有する電流の電流量と実質的に同一になるようにＬＥＤ電流（Ｉ＿ＬＥＤ）の大きさを調節してもよい。すなわち、Ｉ＿ＬＥＤ’の電流量と実質的に同一になるようにＬＥＤ電流（Ｉ＿ＬＥＤ）の大きさを調節してもよい。図８を参照すると、ＬＥＤ電流（Ｉ＿ＬＥＤ）のデューティ比は、デューティ比が変調された光データ信号（ＬＤＡＴ’）のデューティ比を有する。すなわち、ＬＥＤ電流（Ｉ＿ＬＥＤ）は、光データ信号（ＬＤＡＴ）のデューティ比より大きなデューティ比を有する。したがって、Ｉ＿ＬＥＤ’のピーク値（ａ）とＬＥＤ電流（Ｉ＿ＬＥＤ）のピーク値（Ｉｐｅａｋ）とが一致しても、Ｉ＿ＬＥＤ’の電流量に相当する面積Ａ’とＬＥＤ電流（Ｉ＿ＬＥＤ）の電流量に相当する面積Ａとを実質的に同一にすることができる。図９を参照すると、Ｉ＿ＬＥＤ’のフォーリングエッジ直前の一部をフォーリングエッジの一部に移すことによってＩ＿ＬＥＤ’の電流量とＬＥＤ電流（Ｉ＿ＬＥＤ）の電流量とを同一に維持しつつ、ＬＥＤ電流（Ｉ＿ＬＥＤ）の波形を変形することができる。このように、ＬＥＤ電流（Ｉ＿ＬＥＤ）波形を変形しても、電流量を実質的に同一に維持することができる。
【００６１】
以上、図８を参照してＬＥＤ電流（Ｉ＿ＬＥＤ）の波形がライジング区間およびフォーリング区間を含む場合を説明したが、ＬＥＤ電流（Ｉ＿ＬＥＤ）の波形は、ライジング区間またはフォーリング区間のうち少なくとも一つを含んでもよい。すなわち、ＬＥＤ電流（Ｉ＿ＬＥＤ）の波形は、ライジング区間のみを有してもよく、フォーリング区間のみを有してもよい。
【００６２】
図１０を参照して本発明の第３実施形態を説明する。本発明の第２実施形態と実質的に同一の構成要素に対しては同一の参照符号を使い、説明の便宜上、第２実施形態と実質的に重複する説明は省略する。
【００６３】
図１０は、本発明の第３実施形態によるＬＥＤ電流を説明するための信号図である。
【００６４】
図１０を参照すると、ＬＥＤ電流（Ｉ＿ＬＥＤ）の波形は、ライジング区間とフォーリング区間とが所定のデューティ比を有して交互に繰り返して配置される波形であってもよい。ここで、所定のデューティ比は、ＣＣＥＬ電流波形のデューティ比と類似なものであってもよい。例えば、図示するようにライジング区間は６０％であり、フォーリング区間は４０％であってもよい。すなわち、ＬＥＤ電流（Ｉ＿ＬＥＤ）の波形は、光データ信号（ＬＤＡＴ）のデューティ比とは関係がなく、所定のデューティ比を有してもよい。
【００６５】
また、ＬＥＤ電流（Ｉ＿ＬＥＤ）のピーク値は、表示パネル３００に表示される映像の階調に応じて加重値が付与された値を有してもよい。ｎ階調（ｎ  ｇｒｅｙ）が表示パネル３００に表示される映像の最高階調であれば、ＬＥＤ電流（Ｉ＿ＬＥＤ）のピーク値はＩｐｅａｋ＿ｎを有してもよい。また、階調が小さくなると、小さい値を有する加重値（α）が付与されてもよい。加重値（α）は、０と１との間の値を有してもよく、ｎ−１階調（ｎ−１  ｇｒｅｙ）、ｎ−２階調（ｎ−２  ｇｒｅｙ）のように階調が低くなると、階調が低くなるにつれて小さくなる値を有する加重値（α）とＬＥＤ電流（Ｉ＿ＬＥＤ）の電流値とを乗算して、ＬＥＤ電流（Ｉ＿ＬＥＤ）の電流値を小さくして階調を低くしてもよい。したがって、ＬＥＤ電流（Ｉ＿ＬＥＤ）のピーク値は、Ｉｐｅａｋ＿ｎ、Ｉｐｅａｋ＿ｎ−１、Ｉｐｅａｋ＿ｎ−２順に徐々に小さくなる。
【００６６】
このような方式において、ＬＥＤ電流（Ｉ＿ＬＥＤ）の波形が、光データ信号（ＬＤＡＴ）のデューティ比とは関係がなく所定のデューティ比を有しても、ＬＥＤ電流（Ｉ＿ＬＥＤ）のピーク値を調節して、ＬＥＤ光源から照射される光は、表示パネル３００に表示される映像に対応する輝度を有することができる。
【００６７】
本発明の第３実施形態による表示装置によると、第２実施形態と同様に、ＬＥＤ電流（Ｉ＿ＬＥＤ）の波形はライジング区間およびフォーリング区間を含むため、ＬＥＤ光源がオンして、オフするとき、寄生容量のサイズが徐々に変わり、ウォーターフォールノイズが視認されることを減らし、その結果、表示装置１０の表示品質を向上させることができる。また、バックライトドライバ８０２は、ＬＥＤ光源にある四角形状の波形を有する電流を流す場合、ＬＥＤ電流（Ｉ＿ＬＥＤ）の電流量をＩ＿ＬＥＤ’の電流量と実質的に同一になるようにＬＥＤ電流（Ｉ＿ＬＥＤ）大きさを調節してもよい。
【００６８】
次に、図１１〜図１３を参照して本発明の第４実施形態を説明する。本発明の第１実施形態と実質的に同一の構成要素に対しては同一の参照符号を使い、説明の便宜上、第１実施形態と実質的に重複する説明は省略する。
【００６９】
図１１は、本発明の第４実施形態による発光ブロックとバックライトドライバとを説明するためのブロック図である。図１２は、図１１の回路図である。図１３は、図１２の信号を説明するためのタイミング図である。
【００７０】
図１１を参照すると、本発明の第４実施形態による表示装置は、ＬＥＤ光源の他端に接続した遅延キャパシタ（ｄｅｌａｙＣ）をさらに含んでもよい。また、バックライトドライバ８００は、ブースト電圧（Ｖｂｓｔ）をＬＥＤ光源に提供するブースト部８１０と、ＬＥＤ光源に流れるＬＥＤ電流（Ｉ＿ＬＥＤ）の大きさを調節する電流値調節部８２０とを含んでもよい。
【００７１】
図１１に示すようにＬＥＤ光源は、ＬＥＤ光源モジュール３３４に実装されてもよく、ブースト部８１０と電流値調節部８２０とは、コンバーターボード８３０に実装されてもよい。ＬＥＤ光源モジュール３３０は、表示パネル３００の背面に配置されてもよく、コンバーターボード８３４はＬＥＤ光源モジュール３３０と接続されてもよい。ブースト部８１０は、ＬＥＤ光源モジュール３３０のブースト電圧端子（Ｐｂｓｔ）を通じて、ブースト電圧（Ｖｂｓｔ）をＬＥＤ光源に提供してもよく、電流値調節部８２０は、ＬＥＤ電流端子（Ｐｉ）を介して発光ブロック（ＬＢ）のＬＥＤ電流（Ｉ＿ＬＥＤ）の大きさを調節してもよい。
【００７２】
遅延キャパシタ（ｄｅｌａｙＣ）は、ＬＥＤ光源モジュール３３４またはコンバーターボード８３０に実装されてもよい。遅延キャパシタ（ｄｅｌａｙＣ）は、特に、ＬＥＤ光源モジュール３３４に実装されてもよい。遅延キャパシタ（ｄｅｌａｙＣ）をＬＥＤ光源モジュール３３４に実装すると、別途にコンバーターボード８３０回路を変更せずに遅延キャパシタ（ｄｅｌａｙＣ）を実装することができる。さらに、遅延キャパシタ（ｄｅｌａｙＣ）をコンバーターボード８３０に実装する場合に生じ得る可聴雑音（ａｕｄｉｂｌｅ  ｎｏｉｓｅ）を減らすことができる。コンバーターボード８３０は、正極性と負極性を交互に有する信号を生成し、このような信号と遅延キャパシタ（ｄｅｌａｙＣ）とが隣接すると、可聴雑音が発生することある。特に、遅延キャパシタ（ｄｅｌａｙＣ）として積層セラミックコンデンサ（Ｍｕｌｔｉ−Ｌａｙｅｒ  Ｃｅｒａｍｉｃ  Ｃｏｎｄｅｎｓｏｒ：ＭＬＣＣキャパシタ）を使用する場合、可聴雑音がより増加しやすい。
【００７３】
図１２を参照すると、ブースト電圧（Ｖｂｓｔ）は、ＬＥＤ光源の一端に印加され、電流値調節部８２０は、ドレイン／ソース端子がＬＥＤ光源の他端に接続された薄膜トランジスタ（Ｑ＿ｃｔｒＩ）を含んでもよい。薄膜トランジスタ（Ｑ＿ｃｔｒＩ）は、制御電圧（Ｖ＿ｃｔｒＲ）に応答してＬＥＤ電流（Ｉ＿ＬＥＤ）の大きさを調節してもよい。
【００７４】
一方、ＬＥＤ光源の他端に続く回路は、遅延キャパシタ（ｄｅｌａｙＣ）と、遅延キャパシタ（ｄｅｌａｙＣ）と並列に接続された可変抵抗（ＶＲ）とから成る回路と等価であってもよい。したがって、図１３に示すように、遅延キャパシタ（ｄｅｌａｙＣ）と可変抵抗（ＶＲ）との積から成る時定数によって決定される遷移区間（ｔｒａｎｓｉｔｉｏｎ  ｓｅｃｔｉｏｎ）を含むＬＥＤ電流（Ｉ＿ＬＥＤ）が得られる。このような遷移区間（ｔｒａｎｓｉｔｉｏｎ  ｓｅｃｔｉｏｎ）は、ライジング区間およびフォーリング区間となるため、ＬＥＤ電流（Ｉ＿ＬＥＤ）はライジング区間およびフォーリング区間を含むことができる。
【００７５】
図１３において、Ｉ＿ＬＥＤ’は、遅延キャパシタ（ｄｅｌａｙＣ）がない場合に出力されるＬＥＤ電流（Ｉ＿ＬＥＤ’）の波形である。遅延キャパシタ（ｄｅｌａｙＣ）がない場合、四角形状の波形を有するＬＥＤ電流（Ｉ＿ＬＥＤ’）が出力される。しかし、遅延キャパシタ（ｄｅｌａｙＣ）と可変抵抗（ＶＲ）とから成る１次回路によって信号が遷移期間（ｔｒａｎｓｉｅｎｔ  ｓｅｃｔｉｏｎ）を含むとしても、可変抵抗（ＶＲ）によって損失されるエネルギーを無視すると、ＬＥＤ光源に流れる電流量は、前記四角形状の波形を有する電流の電流量と実質的に同一である。
【００７６】
第４実施形態による表示装置１０によると、第１実施形態と同様に、ＬＥＤ電流（Ｉ＿ＬＥＤ）の波形はライジング区間およびフォーリング区間を含むため、ＬＥＤ光源がオンして、オフするとき、寄生容量の大きさが徐々に変わり、ウォーターフォールノイズが視認されることを減らし、その結果、表示装置１０の表示品質を向上させることができる。
【００７７】
また、バックライトドライバ８００は、ＬＥＤ光源にある四角形状の波形を有する電流を流す場合、ＬＥＤ電流（Ｉ＿ＬＥＤ）の電流量をＩ＿ＬＥＤ’の電流量と実質的に同一になるようにＬＥＤ電流（Ｉ＿ＬＥＤ）の大きさを調節してもよい。
【００７８】
図１４〜図１８を参照して本発明の第５〜第７実施形態による表示装置１０を説明する。本発明の第１実施形態と実質的に同一の構成要素に対しては同一の参照符号を使い、説明の便宜上、第１実施形態と実質的に重複する説明は省略する。
【００７９】
図１４は、本発明の第５実施形態による発光ブロックとバックライトドライバとを説明するためのブロック図である。図１５Ａは、図１４の回路図である。図１５Ｂは、図１５Ａにおける比較器の出力と可変抵抗器の抵抗値とＬＥＤ電流（Ｉ＿ＬＥＤ）の大きさとの関係を説明する表である。
【００８０】
図１４〜図１５Ｂを参照すると、バックライトドライバ８０６は、ブースト電圧（Ｖｂｓｔ）をＬＥＤ光源に提供するブースト部８１０と、ＬＥＤ光源に流れるＬＥＤ電流（Ｉ＿ＬＥＤ）の大きさを調節する電流値調節部８２６と、を含んでもよい。
【００８１】
ブースト電圧（Ｖｂｓｔ）は、ＬＥＤ光源の一端に印加され、電流値調節部８２６は、ＬＥＤ光源の他端からＬＥＤ電流（Ｉ＿ＬＥＤ）の大きさに比例するフィードバック電圧（Ｖｆｂ）の印加を受けて、フィードバック電圧（Ｖｆｂ）を基準電圧（Ｖｒｅｆ）と比較した結果に応じて、ＬＥＤ電流（Ｉ＿ＬＥＤ）の大きさを調節する。
【００８２】
電流値調節部８２６は、フィードバック抵抗（Ｒｆｂ）と基準電圧生成部８５０と可変抵抗部８６０とを含んでもよい。
【００８３】
フィードバック抵抗（Ｒｆｂ）は、ＬＥＤ光源に流れるＬＥＤ電流（Ｉ＿ＬＥＤ）の大きさをフィードバック電圧（Ｖｆｂ）の形態で検出する。
【００８４】
基準電圧生成部８５０は、制御信号であるＰＷＭｒｉｓｅとＰＷＭｆａｌｌとを受信して、これらに対応する基準電圧（Ｖｒｅｆ）を生成してもよい。基準電圧生成部８５０は、ＰＷＭｒｉｓｅとＰＷＭｆａｌｌ信号とに対応し、その波形がライジング区間に対応する遷移期間（ｔｒａｎｓｉｅｎｔ  ｓｅｃｔｉｏｎ）およびフォーリング区間に対応する遷移期間（ｔｒａｎｓｉｅｎｔ  ｓｅｃｔｉｏｎ）のうち少なくとも一つを含む基準電圧（Ｖｒｅｆ）を生成してもよい。後述するように、第５実施形態においては、ライジング区間のみを含んでもよく、第６実施形態においては、ライジング区間およびフォーリング区間を含んでもよく、第７実施形態においては、少なくとも２段のフォーリング区間を含んでもよい。
【００８５】
可変抵抗部８６０は、基準電圧（Ｖｒｅｆ）の電圧レベルに応じて変わる抵抗値を有する。図１５Ａを参照すると、可変抵抗部８６０は、フィードバック電圧（Ｖｆｂ）と基準電圧（Ｖｒｅｆ）とを比較する比較器（ｃｐｒ）と、比較器（ｃｐｒ）の出力電圧（Ｖｃｐｒ）に応じて抵抗値（Ｒ＿ｃｔｒＩ）が変わる可変抵抗器（Ｒ＿ｃｔｒＩ）を含んでもよい。可変抵抗器（Ｒ＿ｃｔｒＩ）の抵抗値は、正の値を有する出力電圧（Ｖｃｐｒ）に応じて大きくなり、負の値を有する出力電圧（Ｖｃｐｒ）に応じて小さくなり、ゼロレベルの出力電圧（Ｖｃｐｒ）に対してはそのままに維持される。
【００８６】
図１５Ｂに示すように、フィードバック電圧（Ｖｆｂ）が基準電圧（Ｖｒｅｆ）よりも大きければ、比較器（ｃｐｒ）は正の値を有する出力電圧（Ｖｃｐｒ）を出力する。正の値を有する出力電圧（Ｖｃｐｒ）に応じて可変抵抗部８６０の抵抗値（Ｒ＿ｃｔｒＩ）が大きくなると、ＬＥＤ電流（Ｉ＿ＬＥＤ）の大きさは小さくなる。また、フィードバック電圧（Ｖｆｂ）が基準電圧（Ｖｒｅｆ）より小さければ、比較器（ｃｐｒ）は負の値を有する出力電圧（Ｖｃｐｒ）を出力する。負の値を有する出力電圧（Ｖｃｐｒ）に応じて可変抵抗部８６０の抵抗値（Ｒ＿ｃｔｒＩ）が小さくなると、ＬＥＤ電流（Ｉ＿ＬＥＤ）の大きさは大きくなる。一方、フィードバック電圧（Ｖｆｂ）が基準電圧（Ｖｒｅｆ）と同じであれば、比較器（ｃｐｒ）はゼロレベルの出力電圧（Ｖｃｐｒ）を出力し、可変抵抗部８６０の抵抗値（Ｒ＿ｃｔｒＩ）はそのままに維持され、その結果、ＬＥＤ電流（Ｉ＿ＬＥＤ）の大きさもそのままに維持される。このように、可変抵抗部８６０の抵抗値（Ｒ＿ｃｔｒＩ）変化に応じてＬＥＤ電流（Ｉ＿ＬＥＤ）の大きさが変わるため、基準電圧（Ｖｒｅｆ）の電圧レベルを調節してＬＥＤ電流（Ｉ＿ＬＥＤ）の大きさを調節することができる。
【００８７】
図１６は、図１５Ａに示す基準電圧生成部の回路図である。図１７Ａは、第１モードでの基準電圧生成部の動作を説明するための回路図である。図１７Ｂは、第２モードでの基準電圧生成部の動作を説明するための回路図である。
【００８８】
図１６を参照すると、基準電圧生成部８５０は、その一端に第１直流電圧（Ｖｃｃ）が印加される第１抵抗（Ｒｒｓ）と、第１抵抗（Ｒｒｓ）の他端に第１ドレイン／ソースが接続された第１トランジスタ（Ｑｒｉｓｅ）と、第１トランジスタ（Ｑｒｉｓｅ）の第２ソース／ドレインに接続されたＲＣ１次回路（ＲｃｏｍおよびＣｃｏｍ）とを含んでもよい。基準電圧生成部８５０は、その一端に第１直流電圧（Ｖｃｃ）が印加されて第１抵抗（Ｒｒｓ）とは異なる抵抗値を有する第２抵抗（Ｒｆｌ）と、第２抵抗（Ｒｆｌ）の他端と第１トランジスタ（Ｑｒｉｓｅ）の第２ソース／ドレインとの間に接続された第２トランジスタ（Ｑｆａｌｌ）をさらに含んでもよい。
【００８９】
第１トランジスタ（Ｑｒｉｓｅ）がオンして第２トランジスタ（Ｑｆａｌｌ）がオフする第１モード（ｍｏｄｅ  １）で、基準電圧生成部８５０は第１時定数を有して最終値がピーク値である第１時間応答波形を有する基準電圧（Ｖｒｅｆ）を出力してもよい。また、第１トランジスタ（Ｑｒｉｓｅ）がオフし、第２トランジスタ（Ｑｆａｌｌ）がオンする第２モード（ｍｏｄｅ  ２）で、基準電圧生成部８５０は、第１時定数よりも小さな第２時定数を有する第２時間応答波形を有する基準電圧（Ｖｒｅｆ）を出力してもよい。
【００９０】
図１７Ａおよび図１７Ｂを参照して具体的に説明する。以下、第１直流電圧（Ｖｃｃ）は５Ｖであり、第１抵抗（Ｒｒｓ）、第２抵抗（Ｒｆｌ）、および共通抵抗（Ｒｃｏｍ）はそれぞれ１５ｋΩ、５ｋΩ、４．３ｋΩの抵抗値を有し、共通キャパシタ（Ｃｃｏｍ）は３３Ｎｆである場合を例にあげて説明する。
【００９１】
第１モード（ｍｏｄｅ  １）の場合、すなわち第１トランジスタ（Ｑｒｉｓｅ）がオンして第２トランジスタ（Ｑｆａｌｌ）がオフする場合、図１６の回路は図１７Ａのような等価回路で示されてもよい。第１モード（ｍｏｄｅ  １）において、第１時定数は、１５ｋΩの抵抗、４．３ｋΩの抵抗および３３Ｎｆのキャパシタによって決定され、基準電圧（Ｖｒｅｆ）の最終値は概ね１．１１Ｖとなる。すなわち、第１時間応答波形は、オフ電流から始まり、第１時定数を有して１．１１Ｖまで増加する波形を有する。
【００９２】
一方、第２モード（ｍｏｄｅ  ２）の場合、すなわち第１トランジスタ（Ｑｒｉｓｅ）がオフして第２トランジスタ（Ｑｆａｌｌ）がオンする場合、図１６の回路は、図１７Ｂのような等価回路で示されてもよい。第２モード（ｍｏｄｅ  ２）において、第２時定数は、５ｋΩの抵抗、４．３ｋΩの抵抗および３３Ｎｆであるキャパシタによって決定され、基準電圧（Ｖｒｅｆ）の最終値は概ね０．３９Ｖとなる。すなわち、第２時間応答波形は、初期値から始まり、第２時定数を有して０．３９Ｖまで減少する波形を有する。
【００９３】
図１８は、本発明の第５実施形態における図１５Ａの信号を説明するためのタイミング図である。
【００９４】
図１８を参照すると、ＬＥＤ電流（Ｉ＿ＬＥＤ）の波形はライジング区間と、ＬＥＤ電流（Ｉ＿ＬＥＤ）の大きさがピーク値からオフ値に落ちるフォーリングエッジを有してもよい。
【００９５】
制御信号であるＰＷＭｒｉｓｅおよびＰＷＭｆａｌｌの波形を見ると、ＰＷＭｒｉｓｅは、光データ信号（ＬＤＡＴ）がハイレベルである区間で常にオンレベルを有し、ＰＷＭｆａｌｌは常にオフレベルを有する。したがって、光データ信号（ＬＤＡＴ）がハイレベルである区間において、基準電圧生成部８５０は第１モード（ｍｏｄｅ１）で動作する。第１モード（ｍｏｄｅ１）では、基準電圧生成部８５０が第１時間応答波形を出力する区間に対応するＬＥＤ電流（Ｉ＿ＬＥＤ）区間がライジング区間となる。第１時間応答波形がピーク値に達した以後、ＬＥＤ電流（Ｉ＿ＬＥＤ）は、ピーク値を維持し、ＰＷＭｒｉｓｅがオフレベルになると、オフ電流値に急激に落ちる。
【００９６】
第５実施形態による表示装置１０によると、ＬＥＤ電流（Ｉ＿ＬＥＤ）の波形はライジング区間を含むため、ＬＥＤ光源がオフしてからオンするとき、第１実施形態と同様の理由で、寄生容量の大きさが徐々に変わるため、ウォーターフォールノイズが視認されることを減らし、その結果、表示装置１０の表示品質を向上させることができる。
【００９７】
また、バックライトドライバ８０６は、ＬＥＤ光源にある四角形状の波形を有する電流を流す場合、Ｉ＿ＬＥＤ’の電流量と実質的に同一になるようにＬＥＤ電流（Ｉ＿ＬＥＤ）の大きさを調節してもよい。
【００９８】
図１９は、本発明の第６実施形態における図１５Ａに示す信号を説明するためのタイミング図である。
【００９９】
図１９を参照すると、ＬＥＤ電流（Ｉ＿ＬＥＤ）の波形は、ライジング区間とフォーリング区間とを含んでもよい。
【０１００】
制御信号であるＰＷＭｒｉｓｅとＰＷＭｆａｌｌとの波形を見ると、ＰＷＭｒｉｓｅは、光データ信号（ＬＤＡＴ）のハイレベルの区間の前半部でのみオンレベルを有し、ＰＷＭｆａｌｌは常にオフレベルを有する。したがって、光データ信号（ＬＤＡＴ）がハイレベルであり、ＰＷＭｒｉｓｅがオンレベルの区間において、基準電圧生成部８５０は第１モード（ｍｏｄｅ１）で動作する。第１モード（ｍｏｄｅ１）では、基準電圧生成部８５０が第１時間応答波形を出力する区間に対応するＬＥＤ電流（Ｉ＿ＬＥＤ）区間がライジング区間となる。第１時間応答波形がピーク値に達した後、ＬＥＤ電流（Ｉ＿ＬＥＤ）はピーク値を維持する。光データ信号（ＬＤＡＴ）がハイレベルであり、ＰＷＭｒｉｓｅがオフレベルになると、第１トランジスタと第２トランジスタとがオフするため、ＲＣ１次回路（ＲｃｏｍおよびＣｃｏｍ）によって決定される時定数に応じてＬＥＤ電流（Ｉ＿ＬＥＤ）は減衰する波形を有するようになる。この減衰区間がフォーリング区間となる。
【０１０１】
第６実施形態による表示装置１０によると、ＬＥＤ電流（Ｉ＿ＬＥＤ）の波形はライジング区間とフォーリング区間とを含むため、ＬＥＤ光源がオフしてからオンする場合、およびＬＥＤ光源がオンしてからオフする場合において、第１実施形態と同様の理由で、寄生容量の大きさが徐々に変わり、ウォーターフォールノイズが視認されることを減らし、その結果、表示装置１０の表示品質を向上させることができる。
【０１０２】
また、バックライトドライバ８０６は、ＬＥＤ光源にある四角形状の波形を有する電流を流す場合、Ｉ＿ＬＥＤ’の電流量と実質的に同一になるようにＬＥＤ電流（Ｉ＿ＬＥＤ）の大きさを調節してもよい。
【０１０３】
図２０は、本発明の第７実施形態における図１５Ａに示す信号を説明するためのタイミング図である。
【０１０４】
図２０を参照すると、ＬＥＤ電流（Ｉ＿ＬＥＤ）の波形はライジング区間とフォーリング区間とを含んでもよく、フォーリング区間は第１時定数を有する第１フォーリング区間と第２時定数を有する第２フォーリング区間とを含んでもよい。このとき、第１時定数は第２時定数より小さな値を有してもよい。
【０１０５】
制御信号であるＰＷＭｒｉｓｅとＰＷＭｆａｌｌとの波形を見ると、ＰＷＭｒｉｓｅは、光データ信号（ＬＤＡＴ）がハイレベルである区間の前半部でのみオンレベルを有し、ＰＷＭｆａｌｌは、ＰＷＭｒｉｓｅがオンレベルからオフレベルに遷移した時点から一定の時間の間オンレベルを有する。
【０１０６】
動作を説明すると、光データ信号（ＬＤＡＴ）がハイレベルであり、ＰＷＭｒｉｓｅがオンレベルである区間において、第１トランジスタはオンして第２トランジスタはオフし、基準電圧生成部８５０は第１モード（ｍｏｄｅ１）で動作する。第１モード（ｍｏｄｅ１）では、基準電圧生成部８５０が第１時間応答波形を出力する区間に対応するＬＥＤ電流（Ｉ＿ＬＥＤ）区間がライジング区間となる。第１時間応答波形がピーク値に達した後、ＬＥＤ電流（Ｉ＿ＬＥＤ）はピーク値を維持する。
【０１０７】
光データ信号（ＬＤＡＴ）がハイレベルであり、ＰＷＭｒｉｓｅがオフレベルになり、ＰＷＭｆａｌｌがオンレベルになると、第１トランジスタはオフし、第２トランジスタはオンして、基準電圧生成部８５０は第２モード（ｍｏｄｅ２）で動作する。第２モード（ｍｏｄｅ２）では、基準電圧生成部８５０が第２時間応答波形を出力する区間に対応するＬＥＤ電流（Ｉ＿ＬＥＤ）区間が第１フォーリング区間となる。
【０１０８】
光データ信号（ＬＤＡＴ）がハイレベルであり、ＰＷＭｒｉｓｅとＰＷＭｆａｌｌとがオフレベルになると、第１トランジスタ及び第２トランジスタがオフするため、ＲＣ１次回路（ＲｃｏｍおよびＣｃｏｍ）によって決定される時定数に応じてＬＥＤ電流（Ｉ＿ＬＥＤ）は減衰する波形を有するようになる。この減衰区間が第２フォーリング区間となる。
【０１０９】
第７実施形態による表示装置１０によると、ＬＥＤ電流（Ｉ＿ＬＥＤ）の波形は、ライジング区間とフォーリング区間とを含み、フォーリング区間は、第１フォーリング区間と第２フォーリング区間とを含み、電流値の変化がさらに緩慢になるため、ＬＥＤ光源がオフしてからオンする場合、およびＬＥＤ光源がオンしてからオフする場合において、第１実施形態と同様の理由で、寄生容量の大きさが徐々に変わり、ウォーターフォールノイズが視認されることを減らし、その結果、表示装置１０の表示品質を向上させることができる。
【０１１０】
また、バックライトドライバ８０６は、ＬＥＤ光源にある四角形状の波形を有する電流を流す場合、Ｉ＿ＬＥＤ’の電流量と実質的に同一になるようにＬＥＤ電流（Ｉ＿ＬＥＤ）の大きさを調節してもよい。
【０１１１】
以上、図面を参照して本発明の実施形態について説明したが、本発明が属する技術分野で通常の知識を有する者は、本発明が、その技術的思想や必須の特徴を変更しない範囲で他の具体的な形態で実施され得ることを理解することができる。したがって、以上で記述した実施形態はすべての面で例示的なものであり、限定的でないものと理解しなければならない。
【図１】
2010033056.tif 000003
【図２】
2010033056.tif 000004
【図３】
2010033056.tif 000005
【図４】
2010033056.tif 000006
【図５】
2010033056.tif 000007
【図６】
2010033056.tif 000008
【図７】
2010033056.tif 000009
【図８】
2010033056.tif 000010
【図９】
2010033056.tif 000011
【図１０】
2010033056.tif 000012
【図１１】
2010033056.tif 000013
【図１２】
2010033056.tif 000014
【図１３】
2010033056.tif 000015
【図１４】
2010033056.tif 000016
【図１５Ａ】
2010033056.tif 000017
【図１５Ｂ】
2010033056.tif 000018
【図１６】
2010033056.tif 000019
【図１７Ａ】
2010033056.tif 000020
【図１７Ｂ】
2010033056.tif 000021
【図１８】
2010033056.tif 000022
【図１９】
2010033056.tif 000023
【図２０】
2010033056.tif 000024